(57)【要約】      （修正有）【課題】ピックアップが搭載されたスライド部材のガタを線形ばねを使用して抑えることができ、ディスクドライブ装置及び撮像装置全体の小型化を図ることができる。【解決手段】スライド部材をガイド軸に沿って移動させるピックアップ送り装置と、軸受部６６をガイド軸５７に付勢する線形ばね８７と、を備えて構成されている。線形ばね８７は、軸受部６６に取り付けるためその軸受部に巻き付けられる固定部８７ａと、その固定部に連続して一体に形成されると共に先端に設けたフック８９に弾性を付与してそのフック８９でガイド軸５７を押圧する押圧部８７ｂと、からなる。【選択図】図５
2006294171.tif 000002
【特許請求の範囲】
【請求項１】
着脱可能に装着されるディスク状記録媒体を回転駆動する回転駆動手段と、
前記ディスク状記録媒体に対して情報信号の記録及び／又は再生を行うピックアップが搭載されると共にガイド部材が摺動自在に貫通された軸受部を有するスライド部材と、
前記スライド部材を前記ガイド部材に沿って移動させるピックアップ送り手段と、
前記軸受部を前記ガイド部材に付勢する線形ばねと、を備え、
前記線形ばねは、前記軸受部に取り付けるため当該軸受部に巻き付けられる固定部と、当該固定部に連続して一体に形成されると共に先端に設けたフックに弾性を付与して当該フックで前記ガイド部材を押圧する押圧部と、からなることを特徴とするディスクドライブ装置。
【請求項２】
前記軸受部は、前記ガイド部材が延在する方向と直交する方向に開口するスリットを有する一対の軸受片からなり、当該一対の軸受片に前記線形ばねの前記固定部が巻き付けられ、当該一対の軸受片の近傍において前記フックを前記ガイド部材に押圧したことを特徴とする請求項１記載のディスクドライブ装置。
【請求項３】
前記線形ばねは、円弧状に形成された固定部と、当該固定部の一端に連続すると共にＬ字形に形成された押圧部とを有し、当該押圧部と前記固定部とを略同一平面上に形成すると共に、当該押圧部の先端に当該平面と略垂直をなす方向に突出した前記フックを設けたことを特徴とする請求項１記載のディスクドライブ装置。
【請求項４】
前記線形ばねの前記固定部は、前記一対の軸受片の外側に巻き付けることにより当該一対の軸受片を締め付けて固定する円弧状に形成された巻き締め部と、当該巻き締め部の一端に連続すると共に前記一対の軸受片間に挿入されることにより位置決めをなす位置決め部とからなることを特徴とする請求項２記載のディスクドライブ装置。
【請求項５】
前記ガイド部材は、前記回転駆動手段が固定されたシャーシに両端支持されるガイド軸又は当該シャーシと一体に形成されたレール部材からなることを特徴とする請求項１記載のディスクドライブ装置。
【請求項６】
被写体の光を通過させて撮像手段に結像させるレンズ装置と、
前記撮像手段から出力される撮像信号を記録可能なディスクドライブ装置と、を備え、
前記ディスクドライブ装置は、
着脱可能に装着されるディスク状記録媒体を回転駆動する回転駆動手段と、
前記ディスク状記録媒体に対して情報信号の記録及び／又は再生を行うピックアップが搭載されると共にガイド部材が摺動自在に貫通された軸受部を有するスライド部材と、
前記スライド部材を前記ガイド部材に沿って移動させるピックアップ送り手段と、
前記軸受部を前記ガイド部材に付勢する線形ばねと、を有し、
前記線形ばねは、前記軸受部に取り付けるため当該軸受部に巻き付けられる固定部と、当該固定部に連続して一体に形成されると共に先端に設けたフックに弾性を付与して当該フックで前記ガイド部材を押圧する押圧部と、からなることを特徴とするディスク記録及び／又は再生装置。
【発明の詳細な説明】
【技術分野】
【０００１】
本発明は、ピックアップをディスク状記録媒体の半径方向に移動させて当該ディスク状記録媒体に対して情報信号の記録及び／又は再生を行うディスクドライブ装置及び当該ディスクドライブ装置を備えたディスク記録及び／又は再生装置に関するものである。
【背景技術】
【０００２】
従来の、この種のディスクドライブ装置としては、例えば、特許文献１に記載されているようなものがある。特許文献１には、ディスクに記録されている信号の読み取り動作を行う光ピックアップの移動をガイドするガイドシャフトの固定装置に関するものが記載されている。この特許文献１に記載されたガイドシャフト固定装置は、「ディスクに記録されている信号の読み取り動作を行う光ピックアップの移動をガイドするガイドシャフトと、該ガイドシャフトを支持する支持面が形成されている固定基板と、該固定基板を切起すことにより形成されるとともに前記支持面に対して直角な当接面が設けられている切起し片と、前記固定基板に固定部が固着されているとともに前記ガイドシャフトを前記支持面及び当接面に押圧する押圧部が設けられている板バネと、前記切越し片に形成されているとともに前記板バネの反押圧方向への変位を阻止する変位阻止部とより成る」ことを特徴としている。
【０００３】
このような構成を有するガイドシャフト固定装置によれば、「ガイドシャフトの位置決めを行う当接面が設けられている切越し片に板バネの反押圧方向への変位を阻止する変位阻止部を設けたので、ディスクプレーヤーに大きな衝撃力が加わってもガイドシャフトが固定部より外れることはない」という効果が期待される。
【０００４】
また、従来のディスクドライブ装置の他の例としては、例えば、特許文献２に記載されているようなものもある。特許文献２には、光学ピックアップを再生基板にガイド軸で支持した光学ピックアップのガイド装置に関するものが記載されている。この特許文献２に記載された光学ピックアップのガイド装置は、「再生基板に平行に配置された一対のガイドに沿って光学ピックアップをガイドする光学ピックアップのガイド装置において、前記ガイドの一方を断面円形のガイド軸とし、再生基板に互いに離間して配置され、前記ガイド軸の外周を当接させる第１及び第２当接部と、再生基板に取付けられて前記ガイド軸の一端縁を押圧し、該ガイド軸の外周を前記第１当接部及び再生基板の表面に押付ける弾性部材と、再生基板に配置され、前記ガイド軸の他端縁において前記弾性部材による軸方向の付勢力を受けて該ガイド軸の外周を前記第２当接部及び再生基板の表面に押付ける受部と、を具備した」ことを特徴としている。
【０００５】
このような構成を有する光学ピックアップのガイド装置によれば、「ガイド軸は、弾性部材の弾力で再生基板に固定されるので、光学ピックアップは、無振動で素早く再生基板に取付けられる。この第１及び第２当接部を再生基板に一体的に形成すると、光学ピックアップのガイド装置を簡素化できる。」等の効果が期待される。
【０００６】
更に又、従来のディスクドライブ装置の他の例としては、この特許出願人が先に実用新案登録出願したもので、特許文献３に記載されているようなものもある。特許文献３に記載されたヘッド移動装置は、「シャーシ上に平行に配置されたガイド軸及びモータにて回転駆動されるリードスクリューと、ヘッドが取付けられたキャリッジと、上記キャリッジに設けられて上記ガイド軸に挿入されたスライド用孔と、上記キャリッジに固定されて上記リードスクリューの螺旋溝に係合される係合部材とを有するヘッド移動装置において、上記キャリッジに取付けた線状ばねからなる捩りコイルばねの一端側を上記ガイド軸に押圧させたキャリッジ片寄せばねに構成すると共に、上記捩りコイルばねの他端側を上記リードスクリューに上記係合部材の反対側から押圧させたリードスクリュー押えばねに構成した」ことを特徴としている。
【０００７】
しかしながら、特許文献１に記載されたガイドシャフト固定装置の場合には、板金を使用した板ばねを用いてガイドシャフトを押圧し、その板ばねの一端を固定ねじで固定基板に固定すると共に、当該板ばねの他端を固定基板に設けた切起し片に係合して板ばねの反押圧方向への変位動作を阻止する構造となっていた。そのため、板ばねを用いるために大きなスペースが必要とされており、ディスクドライブ装置全体の小型化を図ることが困難であった。しかも、板ばねを固定するために固定ねじが必要とされ、また固定基板に切起し片を設けていたため、部品点数が多くなるばかりでなく、製造工数や作業工程が多くなり、製品のコストアップを招いているという問題があった。
【０００８】
また、特許文献２に記載された光学ピックアップのガイド装置は、光学ピックアップを無振動で再生基板に取付けることを目的とするものであって、その目的を達成するためにコイルばねを用いているが、そのコイルばねを再生基板に取付けるために支持片やばね受け片等を設ける構造となっていた。そのため、この場合にも特許文献１の場合と同様に、部品点数が多くなるばかりでなく、製造工数や作業工程が多くなり、製品のコストアップを招いているという問題があった。
【０００９】
更に又、特許文献３に記載されたヘッド移動装置の場合には、キャリッジに取り付けられる捩りコイルばねを備えているが、その捩りコイルばねは、コイル部とその両端に連続されたキャリッジ片寄せばねとリードスクリュー押えばねとを有し、コイル部をキャリッジに支持すると共に、その両側に連続した片寄せばねと押えばねをキャリッジの移動方向と直交する方向に延在させて、一方の片寄せばねをガイド軸に当接し、他方の押えばねをリードスクリューに当接する構造となっていた。そのため、捩りコイルばねが大きなものとなるばかりでなく、押えばねがリードスクリューの螺旋溝に係合されているため、ガイド軸の軸方向へキャリッジを素早く移動させることができないという問題があった。
【特許文献１】実開平６−４９６７号公報
【特許文献２】特開２００２−３５２５３１号公報
【特許文献３】実開平２−７２４７０号公報
【発明の開示】
【発明が解決しようとする課題】
【００１０】
解決しようとする問題点は、従来のディスクドライブ装置においては、ガイド軸に関連して設けられている弾性部材が板ばねであったため大きなスペースが必要となり、ディスクドライブ装置全体の小型化が困難であり、また、線形ばねを用いているものもあるが、その線形ばねが大きなものであったため装置全体の小型化に不向きであるばかりでなく、キャリッジを軸方向へ素早く移動できないという点である。
【課題を解決するための手段】
【００１１】
本出願のディスクドライブ装置は、着脱可能に装着されるディスク状記録媒体を回転駆動する回転駆動手段と、ディスク状記録媒体に対して情報信号の記録及び／又は再生を行うピックアップが搭載されると共にガイド部材が摺動自在に貫通された軸受部を有するスライド部材と、そのスライド部材をガイド部材に沿って移動させるピックアップ送り手段と、軸受部をガイド部材に付勢する線形ばねと、を備え、線形ばねは、軸受部に取り付けるためその軸受部に巻き付けられる固定部と、その固定部に連続して一体に形成されると共に先端に設けたフックに弾性を付与してそのフックでガイド部材を押圧する押圧部と、からなることを最も主要な特徴とする。
【００１２】
また、本出願のディスク記録及び／又は再生装置は、被写体の光を通過させて撮像手段に結像させるレンズ装置と、撮像手段から出力される撮像信号を記録可能なディスクドライブ装置と、を備え、ディスクドライブ装置は、着脱可能に装着されるディスク状記録媒体を回転駆動する回転駆動手段と、ディスク状記録媒体に対して情報信号の記録及び／又は再生を行うピックアップが搭載されると共にガイド部材が摺動自在に貫通された軸受部を有するスライド部材と、そのスライド部材をガイド部材に沿って移動させるピックアップ送り手段と、軸受部をガイド部材に付勢する線形ばねと、を有し、線形ばねは、軸受部に取り付けるためその軸受部に巻き付けられる固定部と、その固定部に連続して一体に形成されると共に先端に設けたフックに弾性を付与してそのフックでガイド部材を押圧する押圧部と、からなることを特徴とする。
【発明の効果】
【００１３】
本出願のディスクドライブ装置及びディスク記録及び／又は再生装置によれば、ピックアップが搭載されたスライド部材のガタを線形ばねを使用して抑えることができ、ディスクドライブ装置及び撮像装置全体の小型化を図ることができると共に、構造が簡単であって安価に製造することができる。
【発明を実施するための最良の形態】
【００１４】
ディスクドライブ装置及びディスク記録及び／又は再生装置の装置全体の小型化を図ることができると共に、ピックアップが搭載されたスライド部材の摺動部分にガタを生ずることなくスムース且つ迅速なスライド動作の可能なディスクドライブ装置及びディスク記録及び／又は再生装置を、簡単な構造によって実現した。
【実施例１】
【００１５】
図１〜図１２は、本発明の実施の形態の例を示すものである。即ち、図１及び図２は本発明のディスクドライブ装置の一実施例を示す平面図及び底面図、図３はピックアップが搭載されたスライド部材の斜視図、図４〜図６はスライド部材の軸受部を示す図、図７はスライド部材の斜視図、図８は軸受部の正面図及び側面図、図９Ａ〜Ｄはディスクドライブ装置に係る弾性部材を示す図、図１０〜図１２は本発明のディスクドライブ装置を用いたディスク記録及び／又は再生装置の一実施例を示す図である。
【００１６】
まず、図１０〜図１２を参照して、本発明のディスクドライブ装置を用いたディスク記録及び／又は再生装置の一実施例を説明する。図１０に示すディスク記録及び／又は再生装置１は、情報記憶メディアであるディスク状記録媒体の一具体例として示す直径８ｃｍの光ディスクＤＶＤ−Ｒ（Digital Video Disc−Recordable）を使用し、光学的な画像を撮像手段の一具体例を示すＣＣＤ（固体撮像素子）で電気的な信号に変換してＤＶＤ−Ｒに記録したり、液晶モニタ等の表示装置に表示できるようにしたもの（以下「光ディスク式撮像装置」という。）である。
【００１７】
しかしながら、本発明のディスク記録及び／又は再生装置としては、この実施例で示す光ディスク式撮像装置１に限定されるものではなく、光ディスク式レコーダ、光ディスク式プレーヤ、光磁気ディスク式撮像装置、光磁気ディスク式レコーダ、光磁気ディスク式プレーヤ、磁気ディスク式撮像装置、磁気ディスク式レコーダ、磁気ディスク式プレーヤ等のようにディスク状記録媒体を用いて情報信号の記録や再生を行うディスク記録及び／又は再生装置であれば、各種の電子機器に適用できるものである。
【００１８】
即ち、本発明のディスク記録及び／又は再生装置に使用されるディスク状記録媒体としては、ＤＶＤ−Ｒに限定されるものではなく、ＤＶＤ−ＲＷ、ＤＶＤ−ＲＡＭその他の記録可能な光ディスク、再生専用の光ディスクを用いることができることは勿論のこと、これらと記録方式が異なる光磁気ディスク、磁気ディスク等のように他の記録方式のディスク状記録媒体を適用することができることは勿論である。これらのディスク状記録媒体に対応してディスクドライブ装置は、光ディスクを用いる場合にはディスクドライブ装置となり、光磁気ディスクを用いる場合には光磁気ディスクドライブ装置となり、磁気ディスクを用いる場合には磁気ディスクドライブ装置となる。
【００１９】
光ディスク式撮像装置１は、着脱自在に装着される光ディスク（ＤＶＤ−Ｒ）を回転駆動して情報信号の記録（書き込み）及び再生（読み出し）を行う光ディスクドライブ装置３と、この光ディスクドライブ装置３の駆動制御等を行う図示しない制御回路と、被写体の像を光として取り込んでＣＣＤに導くレンズ装置４と、これら光ディスクドライブ装置３等が収納される外装ケース５と、この外装ケース５に回動自在に取り付けられてディスク収納部６を開閉可能に覆うことができるディスク蓋７等を備えて構成されている。
【００２０】
図１０〜図１２に示すように、外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、マウントインシュレータを介して光ディスクドライブ装置３が弾性的に支持されている。これらのパネル８〜１２は、互いに重ね合わされた適当な部分において、或いは他の部材を介して固定ネジからなる固着手段によって組立・分解可能に構成されている。
【００２１】
レンズ装置４は、外装ケース５の上部に内蔵された状態で固定されており、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００２２】
ビューファインダ１６は外装ケース５の上部に露出されており、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができるようになっている。
【００２３】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されており、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２４】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２５】
図１２に示すように、外装ケース５のリアパネル１２には、電源バッテリー２４が着脱自在に装着されるバッテリー収納部２５が設けられている。バッテリー収納部２５は、リアパネル１２の背面及び下面に開口されており、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは外装ケース５の左サイドの下部に取り付けられ、他方の支持金具２６ｂは外装ケース５の右サイドの上部に取り付けられている。
【００２６】
図１０に示すように、外装ケース５の表示装置側パネル１０には、表示装置２８が姿勢変更可能に取り付けられている。表示装置２８は、図示しない平板状の液晶モニタと、この液晶モニタが収納されたパネルケースと、このパネルケースを外装ケース５に対して姿勢変更可能に支持するパネル支持部とから構成されている。パネル支持部は、垂直軸を回動中心としてパネルケースを水平方向に略９０度回動可能とした水平回動機能と、水平軸を回動中心としてパネルケースを前後方向に略１８０度回動可能とした前後回動機能とを有している。
【００２７】
これにより、表示装置２８は、図１０に示すように外装ケース５の側面に収納した収納状態と、パネルケースを９０度回動させて液晶モニタを後方へ対向させた状態と、パネルケースを１８０度回動させて液晶モニタを前方へ対向させた状態と、それらの中間位置の状態とを任意に取ることができるようになっている。更に、表示装置側パネル１０の上部には、複数の操作ボタンからなる操作部２９が設けられている。
【００２８】
図１１に示すように、外装ケース５の一方の側面には、ディスク状記録媒体が着脱可能に装着されるディスク収納部６が設けられている。ディスク収納部６は、光ディスクドライブ装置３の一部を露出させるための開口部を有する一定領域からなり、この実施例では、ディスク状記録媒体の一具体例として示す直径８ｃｍの光ディスク（ＤＶＤ−Ｒ）に対応する大きさの領域として形成されている。このディスク収納部６の略中央部には光ディスクドライブ装置３の回転駆動手段であるテーブル回転手段３５が配置され、その略中央部に配置したターンテーブル３６に対して、光ディスクが着脱可能に構成されている。
【００２９】
光ディスクドライブ装置３は、シャーシ３７を介して外装ケース５に固定されている。この光ディスクドライブ装置３が配置されたディスク収納部６は、ディスク側パネル８に側面部を回動自在に支持されたディスク蓋７によって開閉可能に覆われている。ディスク蓋７は、ディスク収納部６の形状に見合う形状とされていて、背面側に取り付けた蓋回動軸部３８によって外装ケース５に固定されている。ディスク蓋７は、ディスク収納部６を覆う平面部７ａと、この平面部７ａの外周縁の略全周に亘って連続された周面部７ｂとを有している。このディスク蓋７の周面部７ｂは、ディスク側パネル８のディスク収納部６の外周側切欠き部と嵌り合うように構成されている。
【００３０】
蓋回動軸部３８は、図示しないが、ディスク蓋７の背面側に設けた方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３８には、ディスク蓋７の最大開き角度（例えば、９０度）を設定するストッパ部が設けられている。
【００３１】
このような蓋回動軸部３８が、その支持軸の軸方向を上下方向に設定してディスク側パネル８に取り付けられている。これにより、ディスク蓋７が蓋回動軸部３８を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３８には、一定の開放角度の範囲内においてディスク蓋７を任意の開放位置で静止させることができると共に、その開放角度を超えたときにはディスク蓋７を開放側へ付勢するようにバネ部材が装着されている。
【００３２】
ディスク側パネル８と中央部パネル９との間には、図示しないが、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。この蓋開閉機構に対応させて、ディスク蓋７の内面にはロック部材３９が取り付けられている。
【００３３】
また、図１２に示すように、ディスク側パネル８には、ディスク蓋７を囲うようにハンドベルト４０が取り付けられている。ハンドベルト４０は、外装ケース５の把持部５ａを握るユーザーの手を支え、光ディスク式撮像装置１の取り落とし等を防止するものである。このハンドベルト４０は、両端がディスク側パネル８に固定されたベルト部材４１と、このベルト部材４１に装着されてユーザーの手の甲部分に当接される保護パッド４２とから構成されている。ベルト部材４１の一端はディスク側パネル８の前側下部に固定された取付金具４３に連結され、他端はディスク側パネル８の後側中途部に設けた貫通穴から内側に挿入されて、その内部に取り付けられた取付金具に固定されている。
【００３４】
図１２に示すように、ディスク側パネル８の後部には、電源ボタン４４とモード切換ダイヤル４５と録画ボタン４６が配置されている。モード切換ダイヤル４５はリング状をなしていて、その穴内に電源ボタン４４が収納されている。電源ボタン４４はプッシュ・プッシュ方式のスイッチ手段からなり、その押圧動作によって電源バッテリー２４からの電力供給がオン・オフされる。モード切換ダイヤル４５は録画等の動作モードを選択するためのもので、その回動操作によって「静止画モード」と「動画モード」と「見る・編集モード」との３態様の中から任意のモードを選択することができる。また、録画ボタン４６はプッシュ・プッシュ方式のスイッチ手段からなり、その押圧動作によって動画撮影のスタートとストップが繰り返される。
【００３５】
更に、ディスク側パネル８の後側上部には、シャッタボタン４７とズームレバー４８が配置されている。シャッタボタン４７は静止画を撮影するためのもので、その押圧操作により、１回の押圧操作毎に１つの静止画が撮影される。また、ズームレバー４８は撮影時や再生時等において画像を拡大したり縮小したりするためのもので、その操作量に応じて一定の範囲内で倍率を無段階に調整することができる。
【００３６】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外にもアルミニウム合金等の金属を用いることもできる。
【００３７】
外装ケース５の内部は仕切りパネルによって左右方向（レンズ装置４の光軸と交差する方向）に仕切られており、これにより、ディスク蓋７側の第１の室と表示装置側の第２の室とに分けられている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００３８】
図示しないが、外装ケース５の第１の室には光ディスクドライブ装置３が収納され、第２の室にはレンズ装置４と制御回路部等が収納されている。そのため、仕切りパネルの一面側には光ディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成されている。
【００３９】
光ディスクドライブ装置３は、図１及び図２に示すように、仕切りパネル等のケース側の部材を介して外装ケース５に取り付けられるシャーシ３７と、このシャーシ３７に固定されるテーブル回転手段３５と、ピックアップの一具体例を示す光学ピックアップ装置５０と、この光学ピックアップ装置５０をテーブル回転手段３５に対して接近又は離反させるように光ディスク２の半径方向に所定範囲内で往復移動させるピックアップ送り手段であるピックアップ送り装置５１等を備えて構成されている。
【００４０】
シャーシ３７は、略Ｄ字形に形成された上面部３７ａと、この上面部３７ａの周縁に連続する側面部３７ｂと、ケース側部材に取り付けるために側面部３７ｂの周縁の４箇所に設けたインシュレータ取付部３７ｃとを有し、電気を良く通す金属材料によって一体に形成されている。各インシュレータ取付部３７ｃには連通孔５２が設けられており、その連通孔５２にはマウントインシュレータ５３がそれぞれ装着されている。マウントインシュレータ５３は絶縁性材料で形成されたゴム状弾性体からなり、それらのマウントインシュレータ５３を介してシャーシ３７がケース側部材を介して外装ケース５に弾性的に支持される。
【００４１】
シャーシ３７の上面部３７ａには、光学ピックアップ装置５０の上面を露出させるための開口部５４が設けられている。開口部５４は、上面部３７ａの略中央から側面部３７ｂの円弧部に至る部分に大きく開口されており、その円弧側面部を除く他の３辺側に適当な幅の縁取りが設けられている。この上面部３７ａの縁取りのうち、円弧側面部に対向する中央縁取りの内側には、テーブル回転手段３５が搭載されるモータベース５５が取り付けられている。更に、上面部３７ａの中央縁取りの両側に連続された側部縁取りの内側には、ガイド部材の一具体例を示す２本のガイド軸５６，５７がモータベース５５を挟むように所定の間隔をあけて互いに平行をなすように配置されている。２本のガイド軸５６，５７は、それぞれ金属製の真っ直ぐな丸棒によって形成されている。
【００４２】
テーブル回転手段３５は、シャーシ３７の下面に固定ねじ５８ａでねじ止めされたモータベース５５と、このモータベース５５上に搭載されて固定されたスピンドルモータ６０と、このスピンドルモータ６０の回転部に設けられたターンテーブル３６とから構成されている。モータベース５５は導電性を有する金属製の板体からなり、その一面にスピンドルモータ６０がカシメ等の固着手段によって固定されている。なお、スピンドルモータ６０は、シャーシ３７に直接固定する構成としても良いことは勿論である。
【００４３】
スピンドルモータ６０は、モータベース５５に固定される固定部と、その固定部に回転自在に支持された回転部とからなり、その回転部の上面にターンテーブル３６が一体的に設けられている。ターンテーブル３６は、光ディスク２のセンタ穴が嵌合されるディスク嵌合部３６ａと、光ディスク２のセンタ穴の周縁部が載置されるディスク載置部３６ｂとを有している。ターンテーブル３６のディスク嵌合部３６ａには、光ディスク２のセンタ穴の周縁部に係合して光ディスク２を保持する複数個（本実施例では３個）のロック爪６１が周方向に等間隔に配置されている。各ロック爪６１は、図示しないスプリングによって半径方向外側へ付勢されており、このスプリングのバネ力によるロック爪６１の保持力で光ディスク２がターンテーブル３６の所定位置に位置決めされて固定される。
【００４４】
このテーブル回転手段３５の近傍に光学ピックアップ装置５０が配設されている。光学ピックアップ装置５０は、光ディスク２の情報記録面に対向されるピックアップレンズ６２を有する二軸アクチュエータ６３と、この二軸アクチュエータ６３が搭載されたスライド部材６４と、このスライド部材６４に搭載され組み立てられたレーザダイオードやフォトダイオード等の電子部品と、同じくスライド部材６４に搭載され組み立てられたビームスプリッタや反射ミラーその他の光学部品等から構成されている。
【００４５】
スライド部材６４は、図７に示すような構成を有している。即ち、スライド部材６４は、平面形状が適当な幅をもって略円弧状に形成された偏平な部材からなり、内側に半円形の凹部を設けることによってテーブル回転手段３５にできるだけ近づくことができるようにしている。このスライド部材６４の平面部には、前述した二軸アクチュエータ６３や電子部品及び光学部品等を収納するための凹部８１やレーザ光を通過させる光路８２等が設けられている。
【００４６】
更に、スライド部材６４の長手方向の一方には一対の第１の軸受部６５ａ，６５ｂが設けられ、長手方向の他方には第２の軸受部６６が設けられている。一対の第１の軸受部６５ａ，６５ｂには、互いの中心線を一致させた状態で軸受孔８３ａ，８３ｂが設けられている。これらの軸受孔８３ａ，８３ｂには、第１のガイド軸５６がスライド自在に挿通されている。この第１のガイド軸５６で一対の第１の軸受部６５ａ，６５ｂをスライド自在に支持することにより、スライド部材６４が移動する際の直進性を確保するようにしている。
【００４７】
また、第２の軸受部６６には、側方に開口されたスリット状の軸受溝８４が設けられており、この軸受溝８４を設けることによって上下に対向された一対の軸受片６６ａ，６６ｂを形成している。この一対の軸受片６６ａ，６６ｂ間には、第２のガイド軸５７がスライド自在に挿通されている。図８Ａ，Ｂに示すように、一対の軸受片６６ａ，６６ｂの内面には、円弧状に突出した摺動凸面８５ａ，８５ｂが設けられている。これらの摺動凸面８５ａ，８５ｂは、第２のガイド軸５７の外周面と接触する面積を小さくして摺動摩擦抵抗を小さくすると共に、スライド方向の変更時に第２のガイド軸５７に引っ掛かることなく滑らかに移動できるようにすることを目的として形成したものである。
【００４８】
更に、スライド部材６４がスライド移動する際のガタを除去するために、第２の軸受部６６には線形ばね８７が取り付けられている。図９Ａ〜Ｄに示すように、線形ばね８７は、円弧状に形成された固定部８７ａと、その固定部８７ａの一端に連続すると共にＬ字状に形成された押圧部８７ｂとから構成されている。図９Ｂ，Ｃに示すように、押圧部８７ｂは、固定部８７ａに対して若干傾斜して形成されているが、固定部８７ａと押圧部８７ｂは略同一平面上に位置するように形成されており、線形ばね８７の大部分が第２のガイド軸５７と平行をなす空間部において、ばね材の太さより少々広い程度のスペース内に収まるようにしている。
【００４９】
線形ばね８７の固定部８７ａは、一対の軸受片６６ａ，６６ｂの外側に巻き付けることによって当該一対の軸受片６６ａ，６６ｂを締め付けて固定する円弧状に形成された巻き締め部８８ａと、その巻き締め部８８ａの一端に連続すると共に一対の軸受片６６ａ，６６ｂ間に挿入されることによって位置決めをなす位置決め部８８ｂとを有している。また、押圧部８７ｂの自由端側の先端には、第２のガイド軸５７に弾性的に押圧されるフック８９が設けられている。フック８９は、図９Ｄに示すように、押圧部８７ｂの先端を四角形に折り曲げ形成することによって強度を高め、クリープが生じ難い形状としている。線形ばね８７の材質としては、ばね鋼が好適であるが、ばね材として用いることができる材料であればその他の金属であってもよく、また、エンジニアリングプラスチックを用いることもできる。
【００５０】
このような形状、構成を有する線形ばね８７は、例えば、図３〜図６に示すようにして用いられる。図３は、二軸アクチュエータやその他の部品が搭載され組込まれたスライド部材６４の第２の軸受部６６に線形ばね８７を装着した状態を示すもので、図４は、図３の要部を拡大して示す図である。線形ばね８７は、その固定部８７ａを一対の軸受片６６ａ，６６ｂに巻き付けることによってスライド部材６４に固定される。このとき、固定部８７ａを一対の軸受片６６ａ，６６ｂに装着し、その巻き締め部８８ａと位置決め部８８ｂとで一対の軸受片６６ａ，６６ｂを締め付ける。
【００５１】
この際、固定部８７ａの位置決め部８８ｂを一対の軸受片６６ａ，６６ｂ間に差し込むようにする。また、押圧部８７ｂは、下方に位置する軸受片６６ｂの下側から回し込み、上方に位置する軸受片６６ａ側にフック８９が位置するようにする。これにより、固定部８７ａを位置決めして線形ばね８７を、第２の軸受部６６に対してしっかりと確実に固定することができる。
【００５２】
その後、図５及び図６に示すように、一対の軸受片６６ａ，６６ｂ間に第２のガイド軸５７を差し込み、線形ばね８７のフック８９を第２のガイド軸５７の上面に当接させる。これにより、押圧部８７ｂのばね力によってフック８９が第２のガイド軸５７に上方から押圧され、その第２のガイド軸５７の下面に軸受片６６ｂの摺動凸面８５ｂが押し付けられる。その結果、第２のガイド軸５と第２の軸受部６６との間のガタが除去され、ガタ付きを生じることなく第２のガイド軸５に沿ってスライド部材６４をスムースにスライド動作させることができる。
【００５３】
なお、この実施例においては、線ばね８７を第２の軸受部６６に取り付けた例について説明したが、線ばね８７は、第１の軸受部６５ａ，６５ｂのいずれか一方又は両方に取り付ける構成としてもよく、また、第１の軸受部６５ａ，６５ｂと第２の軸受部６６の両方に設ける構成とすることもできる。
【００５４】
このようにスライド部材６４は、第１のガイド軸５６と第２のガイド軸５７との２本のガイド軸５６，５７にガイドされてテーブル回転手段３５に対して進退移動（接近及び離反）可能に構成されている。第１のガイド軸５６及び第２のガイド軸５７は、それぞれ軸方向の両端部において、シャーシ３７の一対の支持部６８，６８にそれぞれ固定されて両端支持されている。図示しないが、第１のガイド軸５６及び第２のガイド軸５７の各端部は、押え板によって押えられており、その押え板を固定ねじ締め込むことにより、２本のガイド軸５６，５７がシャーシ３７に固定されている。
【００５５】
なお、２本のガイド軸５６，５７は、いずれか１本のみを丸棒として形成し、他の１本はシャーシ３７と一体に形成するようにしてもよい。また、ガイド軸５６，５７の断面形状は、円形とするのが好ましいが、これに限定されるものではなく、四角形や六角形等の多角形であってもよく、また、楕円形等であってもよい。図３及び図４において示す符号９１は、スライド部材６４の上面を覆うピックアップカバーであり、符号９２は、二軸アクチュエータ６３やレーザダイオード等に電力を供給するフレキシブル配線板である。
【００５６】
図示しないが、スライド部材６４には、ピックアップ送り装置５１の動力を伝達して当該スライド部材６４をガイド軸５６，５７に沿ってスライド動作させる送りナットが設けられている。この送りナットと、２本のガイド軸５６，５７と、送りナットの歯部が摺動可能に係合されるねじ溝を有する送りねじ軸と、この送りねじ軸を回転駆動する原動機の一具体例を示す送りモータ等によってピックアップ送り装置５１が構成されている。送りモータとしては、例えば、ステップモータが好適であるが、その他の直流電動機や交流電動機、或いは油・空圧シリンダ、揺動モータ等のアクチュエータを用いることもできる。
【００５７】
送りねじ軸は、送りモータの回転軸として構成されており、その外周面に螺旋状に延在されたねじ溝が設けられている。この送りねじ軸は、２本のガイド軸５６，５７と略平行をなすように配置されており、シャーシ３７に設けた軸受部によって回転自在に両端支持されている。この軸受部に送りモータが固定されていて、その送りねじ軸のねじ溝に送りナットの歯部が噛合されている。
【００５８】
かくして、送りモータを駆動して送りネジ軸を回転駆動することにより、その送りネジ軸の回転力が送りナットを介してスライド部材６４に伝達される。その結果、送りネジ軸の回転方向に応じて、光学ピックアップ装置５０がテーブル回転手段３５（ターンテーブル３６、スピンドルモータ６０等）に近づく方向とテーブル回転手段３５から離れる方向とに選択的に移動される。これらテーブル回転手段３５と光学ピックアップ装置５０とピックアップヘッド送り装置５１とシャーシ３７とその他の関連機構、装置等によって光ディスクドライブ装置３が構成されている。
【００５９】
このような構成を有する光ディスクドライブ装置３が、図１０〜図１２に示す光ディスク式撮像装置１では、外装ケース５内の所定位置に取り付けられ、そのテーブル回転手段３５のターンテーブル３６がディスク収納部６の略中央部に配置されている。このディスク収納部６がディスク蓋７によって開閉される。即ち、ディスク蓋７は、蓋開閉機構によってディスク収納部６を閉じる蓋閉じ位置にロックされ、また、そのロックを解除することによってディスク収納部６が開放される。
【００６０】
この光ディスクドライブ装置３を備えた光ディスク式撮像装置１によれば、被写体を撮影することにより、その被写体の画像に対応したデジタル信号を発生させて、液晶ディスプレイ等の表示装置にその画像を表示したり、内蔵された記憶装置や外付けされる記憶装置等にその画像に対応した情報信号を記録したりすることができる。
【００６１】
以上説明したように、本発明によれば、光ディスクドライブ装置、光磁気ディスクドライブ装置及び磁気ディスクドライブ装置等のディスクドライブ装置、並びにそれらのディスク記録及び／又は再生装置の装置全体の小型化を図ることができる。しかも、光ピックアップ、光磁気ピックアップ及び磁気ピックアップ等のピックアップが搭載されたスライド部材の摺動部分のガタを除去し、そのスライド部材をスムース且つ迅速にスライド動作させることができる。また、線形ばねをスライド部材に固定する際に、固定ねじ等の締結部品を必要としないため、組立工程等を簡単化できると共に、コストダウンを図ることができる。
【００６２】
本発明は、前述しかつ図面に示した実施の形態に限定されるものではなく、その要旨を逸脱しない範囲内で種々の変形実施が可能である。例えば、前記実施例では、ＤＶＤ−Ｒを記録媒体として用いたディスク式撮像装置に適用した例について説明したが、光磁気ディスクや磁気ディスク等を用いた他の記録方式のディスク状記録媒体を使用した撮像装置に適用できるものである。更に、本発明に係るディスク記録及び／又は再生装置としては、前述したディスク式撮像装置に限定されるものではなく、この種のディスクドライブ装置が用いられるパーソナルコンピュータ、電子辞書、ＤＶＤプレーヤ、カーナビゲーションその他各種の電子機器に適用できるものである。
【図面の簡単な説明】
【００６３】
【図１】本発明のディスクドライブ装置の一実施例を示す平面図である。
【図２】本発明のディスクドライブ装置の一実施例を示す底面図である。
【図３】図１に示したディスクドライブ装置に係るスライド部材の斜視図である。
【図４】図３に示したディスクドライブ装置に係るスライド部材の軸受部と線形ばねを示す説明図である。
【図５】図４に示したディスクドライブ装置に係るスライド部材の軸受部にガイド軸を挿通して線形ばねを係合した状態を正面から見た説明図である。
【図６】図４に示したディスクドライブ装置に係るスライド部材の軸受部にガイド軸を挿通して線形ばねを係合した状態を平面から見た説明図である。
【図７】本発明のディスクドライブ装置に係るスライド部材単体の斜視図である。
【図８】本発明のディスクドライブ装置に係るスライド部材の軸受部を示すもので、同図Ａは正面図、同図Ｂは右側面図である。
【図９】本発明のディスクドライブ装置に係る線形ばねを示すもので、同図Ａは正面図、同図Ｂは右側面図、同図Ｃは同図ＡのＸ矢視図、同図Ｄは同図ＣのＹ矢視図である。
【図１０】本発明のディスク記録及び／又は再生装置の一実施例を示すもので、正面の表示装置側から見た外観斜視図である。
【図１１】本発明のディスク記録及び／又は再生装置の一実施例を示すもので、ディスク蓋をあけて正面のディスク蓋側から見た外観斜視図である。
【図１２】本発明のディスク記録及び／又は再生装置の一実施例を示すもので、背面のディスク蓋側から見た外観斜視図である。
【符号の説明】
【００６４】
１…光ディスク式撮像装置（ディスク記録及び／又は再生装置）、  ２…光ディスク（ディスク状記録媒体）、  ３…光ディスクドライブ装置、  ４…レンズ装置、  ５…外装ケース、  ３５…テーブル回転手段（回転駆動手段）、  ３６…ターンテーブル、  ３７…シャーシ、  ５０…光学ピックアップ装置（ピックアップ）、  ５１…ピックアップ送り装置（ピックアップ送り手段）、  ５６…第１のガイド軸（ガイド部材）、  ５７…第２のガイド軸（ガイド部材）、  ６０…スピンドルモータ、  ６４…スライド部材、  ６５ａ，６５ｂ…第１の軸受部、  ６６…第２の軸受部、  ６６ａ，６６ｂ…軸受片、  ８４…軸受溝、  ８７…線形ばね、  ８７ａ…固定部、  ８７ｂ…押圧部、  ８８ａ…巻き締め部、  ８８ｂ…位置決め部、  ８９…フック
【図１】
2006294171.tif 000003
【図２】
2006294171.tif 000004
【図３】
2006294171.tif 000005
【図４】
2006294171.tif 000006
【図５】
2006294171.tif 000007
【図６】
2006294171.tif 000008
【図７】
2006294171.tif 000009
【図８】
2006294171.tif 000010
【図９】
2006294171.tif 000011
【図１０】
2006294171.tif 000012
【図１１】
2006294171.tif 000013
【図１２】
2006294171.tif 000014